(57)【要約】【課題】観音開き式貯蔵庫における閉塞部材１４の上下各端部と庫本体１１における前側開口部の上下各縁部間の隙間を完全に密閉する密閉機構を提供する。【解決手段】密閉機構１０ａを、閉塞部材１４の上下の各端部前面に上下各端部から上方または下方に突出して固定されて庫本体１１の上下各縁部の前面に当接するシール部材１５、シール部材１５の前面に固定されてシール部材１５を前面側から押える押圧部材１６、押圧部材１６とシール部材１５間に位置しシール部材１５に押圧部材１６の押圧力を伝達する弾性の伝達部材１７にて構成する。【選択図】　図５
2004011985.tif 000002
【特許請求の範囲】
【請求項１】
庫本体の前側開口部の左右各側縁部に左右の各基端部を回動可能に支持された左右一対の開閉扉を備えるとともに、これら各開閉扉のいずれか一方の開閉扉における先端部裏側に支持されて同開閉扉の上下方向に延びる柱状の閉塞部材を備え、前記各開閉扉の一方の開閉扉を閉鎖することにより同開閉扉の裏側外周縁部に設けたドアパッキンを前記庫本体の前側開口部における外周縁部の前面および前記閉塞部材の前面に当接させ、かつ、前記各開閉扉の他方の開閉扉を閉鎖することにより同開閉扉の裏側外周縁部に設けたドアパッキンを前記庫本体の前側開口部における外周縁部の前面および前記閉塞部材の前面に当接させて、前記庫本体の前側開口部を前記両開閉扉および前記閉塞部材によって密閉する形式の観音開き式貯蔵庫において、前記閉塞部材の上下各端部に、同閉塞部材の上下各端部と前記庫本体の前側開口部における上下各縁部との間を密閉する密閉機構を備え、同密閉機構は、前記閉塞部材の上下の各端部前面に上下各端部から上方または下方に突出して固定されて前記庫本体の上下各縁部の前面に当接するシール部材と、同シール部材の前面に固定されて同シール部材を前面側から押える押圧部材と、同押圧部材と前記シール部材間に位置し同シール部材に前記押圧部材の押圧力を伝達する弾性の伝達部材により構成されていることを特徴とする観音開き式貯蔵庫。
【請求項２】
請求項１に記載の観音開き式貯蔵庫において、前記密閉機構を構成する伝達部材は、前記シール部材または前記押圧部材に固着された弾性部材であることを特徴とする観音開き式貯蔵庫。
【請求項３】
請求項１に記載の観音開き式貯蔵庫において、前記密閉機構を構成するシール部材はゴムシートであって、前記伝達部材は同ゴムシートに設けた突起部であることを特徴とする観音開き式貯蔵庫。
【請求項４】
請求項１に記載の観音開き式貯蔵庫において、前記密閉機構を構成するシール部材はゴムシートを折り曲げたシール部材であって、前記伝達部材は同シール部材の折り曲げ部位であることを特徴とする観音開き式貯蔵庫。
【発明の詳細な説明】
【０００１】
【発明の属する技術分野】
本発明は、観音開き式の冷蔵庫、冷凍庫、保冷庫、保温庫等、観音開き式貯蔵庫に関する。
【０００２】
【従来の技術】
貯蔵庫の一形式として、特開２０００−４６４６０号公報に示されているように、庫本体の前側開口部の左右各側縁部に左右の各基端部を回動可能に支持された左右一対の開閉扉を備えるとともに、これら各開閉扉のいずれか一方の開閉扉における先端部裏側に支持されて同開閉扉の上下方向に延びる柱状の閉塞部材を備え、前記各開閉扉の一方の開閉扉を閉鎖することにより同開閉扉の裏側外周縁部に設けたドアパッキンを前記庫本体における前側開口部の外周縁部の前面および前記閉塞部材の前面に当接させ、かつ、前記各開閉扉の他方の開閉扉を閉鎖することにより同開閉扉の裏側外周縁部に設けたドアパッキンを前記庫本体の前側開口部における外周縁部の前面および前記閉塞部材の前面に当接させて、前記庫本体の前側開口部を前記両開閉扉および前記閉塞部材によって密閉する形式の観音開き式貯蔵庫がある。
【０００３】
当該形式の観音開き式貯蔵庫においては、両開閉扉の閉鎖時、閉塞部材は庫本体の前側開口部から内部に臨んで、その前面が庫本体の前側開口部における外周縁部の前面と略同一面上に位置している。このような閉鎖構造では、閉塞部材の上下各端部と庫本体の前側開口部の上下各縁部との間には隙間が発生していて、当該隙間を通して、庫本体の内気が外部に漏洩し、および／または、外気が庫本体内へ侵入するおそれがある。
【０００４】
このため、当該形式の観音開き式貯蔵庫においては、閉塞部材の上下各端部と庫本体の前側開口部の上下各縁部との間を密閉する必要があり、上記公報に示された観音開き式貯蔵庫においては、閉塞部材の上下各端部に、同閉塞部材の上下各端部と庫本体の前側開口部における上下各縁部との間を密閉する密閉機構が配設されている。
【０００５】
当該密閉機構は、閉塞部材の上下の各先端部に上下各先端部から上方または下方に突出して固定されて庫本体の上下各縁部の前面に当接するシール部材と、同シール部材の前面に固定されて同シール部材を前面側から押える押圧部材により構成されている。
【０００６】
【発明が解決しようとする課題】
ところで、当該観音開き式貯蔵庫における閉塞部材は、開閉扉への取付け具合によっては、および／または、開閉扉の反り具合によってはわずかに傾くことがある。閉塞部材がこのよう傾きを持っている場合には、閉塞部材の上下の各端部に配設されている密閉機構のいずれか一方を構成する押圧部材が、シール部材を挟んだ状態で、庫本体の前側開口部における上下の各縁部のいずれか一方の前面と干渉する。
【０００７】
この結果、密閉機構のいずれか他方を構成する押圧部材が浮いた状態で前側へ突出して、当該密閉機構と庫本体の前側開口部における上下の各縁部のいずれか他方の前面との間にわずかな隙間が発生し、当該隙間から、庫本体の内気が外部に漏洩し、および／または、外気が庫本体内に侵入することとなる。
【０００８】
従って、本発明の目的は、閉塞部材が何らかの理由で開閉扉に対して傾きを持っている場合であっても、庫本体の前側開口部における上下の各縁部の前面と密閉機構間での隙間の発生を防止することにある。
【０００９】
【課題を解決するための手段】
本発明は、観音開き式貯蔵庫に関するものである。本発明に係る観音開き式貯蔵庫は、庫本体の前側開口部の左右各側縁部に左右の各基端部を回動可能に支持された左右一対の開閉扉を備えるとともに、これら各開閉扉のいずれか一方の開閉扉における先端部裏側に支持されて同開閉扉の上下方向に延びる柱状の閉塞部材を備え、前記各開閉扉の一方の開閉扉を閉鎖することにより同開閉扉の裏側外周縁部に設けたドアパッキンを前記庫本体の前側開口部における外周縁部の前面および前記閉塞部材の前面に当接させ、かつ、前記各開閉扉の他方の開閉扉を閉鎖することにより同開閉扉の裏側外周縁部に設けたドアパッキンを前記庫本体の前側開口部における外周縁部の前面および前記閉塞部材の前面に当接させて、前記庫本体の前側開口部を前記両開閉扉および前記閉塞部材によって密閉する形式の観音開き式貯蔵庫である。
【００１０】
しかして、本発明に係る貯蔵庫においては、前記閉塞部材の上下各端部に、同閉塞部材の上下各端部と前記庫本体の前側開口部における上下各縁部との間を密閉する密閉機構を備え、同密閉機構は、前記閉塞部材の上下の各端部前面に上下各端部から上方または下方に突出して固定されて前記庫本体の上下各縁部の前面に当接するシール部材と、同シール部材の前面に固定されて同シール部材を前面側から押える押圧部材と、同押圧部材と前記シール部材間に位置し同シール部材に前記押圧部材の押圧力を伝達する弾性の伝達部材により構成されていることを特徴とするものである。
【００１１】
本発明に係る観音開き式貯蔵庫においては、前記密閉機構を構成する伝達部材を、前記シール部材または前記押圧部材に固着された弾性部材とすることができる、また、本発明に係る観音開き式貯蔵庫においては、前記密閉機構を構成するシール部材をゴムシートとし、前記伝達部材を同ゴムシートに設けた突起部とすることができる。さらにまた、本発明に係る観音開き式貯蔵庫においては、前記密閉機構を構成するシール部材を、ゴムシートを折り曲げたシール部材とし、前記伝達部材を同シール部材の折り曲げ部位とすることができる。
【００１２】
【発明の作用・効果】
本発明に係る観音開き式貯蔵庫においては、各開閉扉の一方の開閉扉を閉鎖することにより同開閉扉の裏側外周縁部に設けたドアパッキンを庫本体の前側開口部における外周縁部の前面および前記閉塞部材の前面に当接させ、かつ、各開閉扉の他方の開閉扉を閉鎖することにより同開閉扉の裏側外周縁部に設けたドアパッキンを庫本体の前側開口部における外周縁部の前面および閉塞部材の前面に当接させて、庫本体の前側開口部を両開閉扉および閉塞部材によって密閉するものである。
【００１３】
本発明に係る観音開き式貯蔵庫においては、当該密閉構造に閉塞部材の上下各端部に配設した各密閉機構が関与して、閉塞部材の上下各端部と庫本体の前側開口部の外周縁部における上下各縁部間の隙間を密閉する。
【００１４】
ところで、当該密閉機構においては、両開閉扉の閉鎖時には、閉塞部材の上下各端部と庫本体の前側開口部の外周縁部における上下各縁部間の隙間を密閉するシール部材には、押圧部材からの押圧力が伝達部材を介して弾撥的に伝達されることになる。
【００１５】
この密閉構造にあっては、閉塞部材が、開閉扉への取付け具合によって、および／または、開閉扉の反り具合によってわずかに傾いる場合には、上下の押圧部材の一方は伝達部材を押しつぶした状態で、庫本体の前側開口部における上下各縁部の一方と干渉し、他方の押圧部材が浮いて前側へ突出する状態になっても、同押圧部材とシール部材間に介在する伝達部材が同シール部材に対する押圧状態を維持する。これにより、閉塞部材の上下各端部と庫本体の前側開口部における上下各縁部間の密閉性は、確実に保持される。
【００１６】
また、当該密閉機構においては、シール部材と押圧部材間に介在する弾性の伝達部材が、開閉扉の開閉時の押圧部材に作用する衝撃力を緩和し、押圧部材の早期の変形や破損を防止する。
【００１７】
【発明の実施の形態】
本発明は、観音開き式貯蔵庫に関するもので、図１には、その一実施形態である冷蔵庫を示している。当該冷蔵庫は、本出願人が特開平８−１０５６８５号公報にて開示している観音開き式冷蔵庫と同一形式のもので、この冷蔵庫を構成する閉塞部材の上下各端部に、本発明の主要部を構成する密閉機構を配設しているものである。
【００１８】
当該冷蔵庫は、庫本体１１の前側開口部１１ａの左右各側縁部に左右の各基端部を回動可能に支持された左右一対の開閉扉１２，１３を備えるとともに、左側の開閉扉１２における先端部裏側に支持された閉塞部材１４を備えている。当該閉塞部材１４には、その上下各端部に、密閉機構１０ａ，１０ｂをそれぞれ備えている。
【００１９】
閉塞部材１４は柱状のもので、図１〜図３に示すように、開閉扉１２の先端部の裏面側に回動可能に支持されていて、スプリング１４ａの作用で開閉扉１２の裏面から離間する方向へ回動していて、開閉扉１２の閉鎖時、庫本体１１の前側開口部１１ａの上縁部に設けたガイド部１１ｂの作用によって開閉扉１２の裏面側に回動する。この際、スプリング１４ａがターンオーバして、閉塞部材１３は、図２に示すように、開閉扉１２の裏面側に沿って位置してその先端側を開閉扉１２の先端から所定長さ突出させる。
【００２０】
この状態の閉塞部材１４においては、その基端部側の前面が開閉扉１２の裏面側の外周縁部に設けたドアパッキン１２ａの一部に当接し、その先端部が右側の開閉扉１３の先端部に対向し得るように位置している。このため、開閉扉１３を閉鎖した際には、開閉扉１３の裏面側の外周縁部に設けたドアパッキン１３ａの一部が閉塞部材１４の先端部の前面に当接する。
【００２１】
当該冷蔵庫において、両開閉扉１２，１３を閉鎖して庫本体１１の前側開口部１１ａを密閉するには、先ず左側の開閉扉１２を閉鎖し、次いで、右側の開閉扉１３を閉鎖する。左側の開閉扉１２を閉鎖すると、閉塞部材１４は回動して図１〜図３に示す状態に位置し、開閉扉１２の裏面側のドアパッキン１２ａは、庫本体１１の前側開口部１１ａにおける外周縁部の前面および閉塞部材１４の基端側前面に当接する。また、右側の開閉扉１３を閉鎖すると、開閉扉１３の裏面側のドアパッキン１３ａは、庫本体１１の前側開口部１１ａにおける外周縁部の前面および閉塞塞部材１４の先端側前面に当接する。この閉鎖構造に各密閉機構１０ａ，１０ｂの密閉作用が加わって、庫本体１１の前側開口部１１ａが密閉される。
【００２２】
密閉機構１０ａは、閉塞部材１４の上端部に配設されるもので、また、密閉機構１０ｂは、閉塞部材１４の下端部に配設されるものであって、互いに同一の密閉作用を奏するものである。両密閉機構１０ａ，１０ｂは、閉塞部材１４に対する配設向きが上下逆の関係にあるが、互いに同一の構造である。従って、密閉機構の説明では、上側の密閉機構１０ａを代表例として詳細に説明する。また、密閉機構１０ａについては、図４および図５に第１の密閉機構として示し、図６には第２の密閉機構を示し、また、図７には第３の密閉機構を示している。
【００２３】
図４よび図５に示す第１の密閉機構である密閉機構１０ａは、シール部材であるゴムシート１５と、押圧部材である合成樹脂製の押圧板１６と、弾性の伝達部材である合成樹脂製のスポンジシート１７にて構成されている。ゴムシート１５は、閉塞部材１４の左右幅よりわずかに狭い寸法に形成され、かつ、押圧板１６は、ゴムシート１５の左右幅より狭い略半分の寸法で、上下の長さは同一の寸法に形成されている。また、スポンジシート１７は、押圧板１６の左右幅と同一寸法で、上下の長さは極めて短い寸法に形成されている。
【００２４】
当該密閉機構１０ａは、スポンジシート１７を押圧板１６の裏面の上端部に貼着した状態で、押圧板１６とゴムシート１５とを一体に、閉塞部材１４の前面に取付けることにより構成されている。この構造状態では、ゴムシート１５はその上端部を所定長さ閉塞部材１４の上端部から突出させており、押圧板１６はゴムシート１５の略中央部に位置し、スポンジシート１７は押圧板１６とゴムシート１５間に介在していて、押圧板１６の押圧力をゴムシート１５に対して弾撥的に伝達し得る状態にある。
【００２５】
当該密閉機構１０ａを備えた閉塞部材１４においては、両開閉扉１２，１３の閉鎖時には、開閉扉１２，１３の裏面側のドアパッキン１２ａ，１３ａの一部が閉鎖部材１４の前面と、密閉機構１０ａを構成するゴムシート１５における押圧板１６の左右側の前面に当接し、ゴムシート１５の先端部を庫本体１１の前側開口部１１ａにおける上縁部の前面に当接させる。この際、押圧板１６は、スポンジシート１７を介してゴムシート１５の中央部を押圧すべく機能する。
【００２６】
これにより、閉塞部材１４の上端部と庫本体１１の前側開口部１１ａにおける上縁部間の隙間が的確に密閉される。また、閉塞部材１４の下端部と庫本体１１の前側開口部１１ａにおける下縁部間の隙間も、閉塞部材１４の下端部に配設した密閉機構１０ｂが同様に機能して的確に密閉される。
【００２７】
ところで、当該密閉構造を構成する閉塞部材１４において、開閉扉１２への取付け具合によって、および／または、開閉扉１２の反り具合によってわずかに傾く場合があり得る。この場合には、上下の密閉機構１０ａ，１０ｂのいずれかにおいては、押圧板１６がスポンジシート１７を押しつぶした状態で、庫本体１１の前側開口部１１ａにおける上下各縁部の一方と干渉し、他方の密閉機構においては押圧板１６が浮き上がって突出する状態になる。
【００２８】
しかしながら、押圧板１６とゴムシート１５間に介在するスポンジシート１７が、押圧板１６が浮き上がった状態にあっても、押圧板１６からのゴムシート１５への押圧力を弾撥的に伝達し、押圧板１６による押圧状態を維持する。これにより、閉塞部材１４の上下各端部と庫本体１１の前側開口部１１ａにおける上下各縁部間の密閉性は、確実に保持される。
【００２９】
また、当該密閉機構１０ａ，１０ｂにおいては、ゴムシート１５と押圧板１６に介在するスポンジシート１７が、開閉扉１２，１３の開閉時の押圧板に作用する衝撃力を効果的に緩和するため、押圧板１６の早期の変形や破損を防止することができる。
【００３０】
図６に示す第２の密閉機構１０ｃは、シール部材と伝達部材を一体に構成したもので、シール部材を形成するシート材料１８を大きく折り曲げて、折り曲げられた環状の状態で、押圧板１６と一体に閉塞部材１４の端部に固定して形成されているものである。この密閉機構１０ｃの構造では、シート材料１８の内側部位１８ａがシール部材に該当し、シート材料１８の外側部位１８ｂが弾性の伝達部材に該当する。従って、当該密閉機構１０ｃは各密閉機構１０ａ，１０ｂと同様に機能して同様の作用効果を奏する。
【００３１】
図７に示す第３の密閉機構１０ｄも、シール部材と伝達部材を一体に構成したもので、シール部材を形成するシート材料１９は、シート本体１９ａとアーム部１９ｂからなるもので、シート本体１９ａの前面側に環状の小突起部１９ｃを備えている。当該シート材料１９は、アーム部１９ｂをその根本部にて折り曲げた環状の状態で、押圧板１６と一体に閉塞部材１４の端部に固定される。この密閉機構１０ｄの構造では、シート材料１９のシート本体１９ａとアーム部１９ｂがシール部材に該当し、シート本体１９ａの前面に設けた小突起部１９ｃが弾性の伝達部材に該当する。従って、当該密閉機構１０ｄは、各密閉機構１０ａ，１０ｂ，１０ｃと同様に機能して同様の作用効果を奏する。
【００３２】
なお、図８は、本発明に係る他の実施形態に係る冷蔵庫を示す、図２に対応する部分平面図である。当該冷蔵庫においては、閉塞部材１４の開閉扉１２に対する取付手段を異にする点を除いて、図２に示す冷蔵庫と同様に構成されているものである。閉塞部材１４は、略Ｌ字状の取付部材１４ｂを介して、開閉扉１２に取付けられて支持されている。当該閉塞部材１４には、第１の密閉機構１０ａが配設されている。
【図面の簡単な説明】
【図１】本発明に係る観音開き式貯蔵庫の一実施形態である冷蔵庫を示す斜視図である。
【図２】同冷蔵庫を構成する両開閉扉の閉鎖時における両開閉扉と閉塞部材の関係を示す部分平面図である。
【図３】同冷蔵庫を構成する両開閉扉の閉鎖時における一方の開閉扉と閉塞部材と庫本体の関係を示す部分側面図である。
【図４】同冷蔵庫を構成する第１の密閉機構の閉塞部材に配設された状態を示す斜視図である。
【図５】同密閉機構の閉塞部材に配設された状態を示す縦断面図である。
【図６】同冷蔵庫を構成する第２の密閉機構の閉塞部材に配設された状態を示す縦断側面図である。
【図７】同冷蔵庫を構成する第３の密閉機構の各構成部材を示す斜視図である。
【図８】本発明に係る観音開き式貯蔵庫の他の実施形態である冷蔵庫を示す図２に対応する平面図である。
【符号の説明】
１０ａ，１０ｂ，１０ｃ，１０ｄ…密閉構造、１１…庫本体、１１ａ…前側開口部、１１ｂ…ガイド部材、１２，１３…開閉扉、１２ａ，１３ａ…ドアパッキン、１４…閉塞部材、１４ａ…スプリング、１４ｂ…取付部材、１５…ゴムシート、１６…押圧板、１７…スポンジシート、１８…シート材料、１８ａ…内側部位、１８ｂ…外側部位、１９…シート材料、１９ａ…シート本体、１９ｂ…アーム部、１９ｃ…小突起部。
【図１】
2004011985.tif 000003
【図２】
2004011985.tif 000004
【図３】
2004011985.tif 000005
【図４】
2004011985.tif 000006
【図５】
2004011985.tif 000007
【図６】
2004011985.tif 000008
【図７】
2004011985.tif 000009
【図８】
2004011985.tif 000010